(57)【要約】【課題】  光メモリ再生装置の光ヘッドの小型化を図る。【解決手段】  光ヘッド１１は、光をコア層に入射するための軸１１２ａを中心に回動されて向きが変化するミラー１１２を備えたので、大型の入射光制御機構が不要であり、光ヘッド内のデッドスペースが少なく、よって光メモリ再生装置の光ヘッドの小型化を図ることができる。【選択図】図１
2006053990.tif 000002
【特許請求の範囲】
【請求項１】
１層以上のコア層と、該コア層のそれぞれを挟むクラッド層と、各コア層と該コア層を挟むクラッド層との境界または当該コア層内に設けられ且つ当該コア層に光を入射させることにより再生される情報を記憶する回折格子層とを備える光メモリ媒体に対し光源を有する光ヘッドから光を入射し当該光メモリ媒体から出射する光を検出して前記情報を再生する光メモリ再生装置の光ヘッドにおいて、
前記光源から発生した光を反射するように配置されるミラーであって、前記光をコア層に入射するための軸を中心に回動されて向きが変化するミラーを備えたことを特徴とする光ヘッド。
【請求項２】
前記ミラーが捻られていることを特徴とする請求項１記載の光ヘッド。
【請求項３】
前記軸に沿って前記ミラーを複数枚並べ個別に回動されるように構成したことを特徴とする請求項１記載の光ヘッド。
【請求項４】
２軸以上の前記軸のそれぞれに沿って前記ミラーを複数枚並べ個別に回動されるように構成したことを特徴とする請求項１記載の光ヘッド。
【請求項５】
前記各ミラーで反射する光が前記光メモリ媒体に入射するまでに集光するように構成したことを特徴とする請求項３記載の光ヘッド。
【請求項６】
２つの前記軸のそれぞれに沿って前記ミラーを複数枚並べ個別に回動されるように構成し、一方の軸に沿って並んだ１枚以上のミラーのそれぞれにおける軸方向の位置が他方の軸に沿って隣り合う２枚のミラーの間の位置となるように配置したことを特徴とする請求項１記載の光ヘッド。
【請求項７】
請求項３ないし６のいずれかに記載の光ヘッドから光メモリ媒体へ入射される光の入射位置の調整方法であって、
当該光ヘッドが備えるミラーのそれぞれを軸を中心にして個別に回動させることによりミラーの向きを変化させることを特徴とする光メモリ媒体へ光の入射位置の調整方法。
【請求項８】
１層以上のコア層と、該コア層のそれぞれを挟むクラッド層と、各コア層と該コア層を挟むクラッド層との境界または当該コア層内に設けられ且つ当該コア層に光を入射させることにより再生される情報を記憶する回折格子層とを備える光メモリ媒体に対し光源を有する光ヘッドから光を入射し当該光メモリ媒体から出射する光を検出して前記情報を再生する光メモリ再生装置において、
前記光源から発生した光を反射するように且つ当該光をコア層に入射するための軸に沿って並べられ且つ当該軸を中心に個別に回動されて向きが変化する複数枚のミラーと、
前記複数枚のミラーのそれぞれを軸を中心にして個別に回動させることによりミラーの向きを変化させるミラー制御手段と、
前記複数枚のミラーの中で前記ミラー制御手段により向きが変化する２枚のミラーのそれぞれからの光が前記光入射面のコア層を厚さ方向に走査するときに当該光とコア層との結合効率に応じて変化する前記光メモリ媒体からの当該光による出射光の光強度を検出する光強度検出手段と、
該光強度検出手段で検出された光強度のそれぞれが最大になるように前記ミラー制御手段を制御するフィードバック制御手段と、
前記光強度検出手段で検出された光強度のそれぞれが最大になったときの前記２枚のミラーの向きを示す数値のそれぞれを補間することにより残りのミラーの向きを示す数値を計算し、当該残りのミラーの向きが当該計算された数値に応じた向きとなるように前記ミラー制御手段を制御する数値制御手段
を備えることを特徴とする光メモリ再生装置。
【請求項９】
前記２枚のミラーで反射する各光の中の２つの部分を変位させる光変位手段であって、当該各部分が前記光入射面において厚さ方向に且つ互いに逆方向に同量変位するように各光を変位させる光変位手段を備え、
前記光強度検出手段は、
前記変位した各部分と変位しない部分とが前記光入射面のコア層を厚さ方向に走査するときに当該変位した部分とコア層との結合効率に応じて変化する前記光メモリ媒体からの当該変位した部分による再生光の光強度を検出し、
前記フィードバック制御手段は、
前記変位した各部分により前記光強度検出手段で検出された光強度同士が等しくなるように前記ミラー制御手段を制御する
ことを特徴とする請求項８記載の光メモリ再生装置。
【請求項１０】
１層以上のコア層と、該コア層のそれぞれを挟むクラッド層と、各コア層と該コア層を挟むクラッド層との境界または当該コア層内に設けられ且つ当該コア層に光を入射させることにより再生される情報を記憶する回折格子層とを備える光メモリ媒体に対し光源を有する光ヘッドから光を入射し当該光メモリ媒体から出射する光を検出して前記情報を再生する光メモリ再生装置が行う光メモリ媒体からの情報の再生方法において、
前記光源から発生した光を反射するように且つ当該光をコア層に入射するための軸に沿って並べられ且つ当該軸を中心に個別に回動されて向きが変化する複数枚のミラーのそれぞれを軸を中心にして個別に回動させることによりミラーの向きを変化させるミラー制御手段により向きが変化する２枚のミラーのそれぞれからの光が前記光入射面のコア層を厚さ方向に走査するときに当該光とコア層との結合効率に応じて変化する前記光メモリ媒体からの当該光による出射光の光強度を光強度検出手段で検出し、
該検出された光強度のそれぞれが最大になるように前記ミラー制御手段を制御し、
前記検出された光強度のそれぞれが最大になったときの前記２枚のミラーの向きを示す数値のそれぞれを補間することにより残りのミラーの向きを示す数値を計算し、当該残りのミラーの向きが当該計算された数値に応じた向きとなるように前記ミラー制御手段を制御する
ことを特徴とする光メモリ媒体からの情報の再生方法。
【請求項１１】
前記２枚のミラーで反射する各光の中の２つの部分を変位させる光変位手段であって、当該各部分が前記光入射面において厚さ方向に且つ互いに逆方向に同量変位するように各光を変位させる光変位手段を光メモリ再生装置が備え、
光メモリ再生方法が、
前記変位した各部分と変位しない部分とが前記光入射面のコア層を厚さ方向に走査するときに当該変位した部分とコア層との結合効率に応じて変化する前記光メモリ媒体からの当該変位した部分による再生光の光強度を検出し、
前記変位した各部分により前記光強度検出手段で検出された光強度同士が等しくなるように前記ミラー制御手段を制御する
ことを特徴とする請求項１０記載の光メモリ媒体からの情報の再生方法。
【発明の詳細な説明】
【技術分野】
【０００１】
本発明は、光ヘッド、光メモリ媒体への光の入射位置の調整方法、光メモリ再生装置および光メモリ媒体からの情報の再生方法に関する。
【背景技術】
【０００２】
従来の光メモリ再生装置と該装置で再生される情報を記憶した光メモリ媒体の構造を図１４に示す。
【０００３】
図１４に示すように、従来の光メモリ再生装置は、例えば、複数のコア層１００１と、該コア層１００１のそれぞれを挟むクラッド層１００２と、各コア層１００１と該コア層１００１を挟む一方のクラッド層１００２との間に設けられて情報を記憶している回折格子層１００３とを備える光メモリ媒体１０００のいずれかのコア層１００１に光ヘッド１１Ａから光（入射光）を入射し当該光メモリ媒体１０００から出射する光（再生光）を光検出器１２で検出して情報を再生する。
【０００４】
このように、光メモリ媒体１０００は多くの情報を記憶するために積層構造となっているので、光メモリ再生装置は、図示しないが、入射光をいずれかのコア層に入射させるための入射光制御機構を備える。
【０００５】
例えば、入射光制御機構は、回転モータとギヤを組み合わせたもの、バネとの釣り合いで動作するリニア型ボイスコイルモータを用いたもの、これらを組み合わせたものである。
【特許文献１】特開１９９９−３４５４１９号公報
【発明の開示】
【発明が解決しようとする課題】
【０００６】
しかしながら、上記した入射光制御機構は、体積が大きく、そのため、光ヘッドの小型化が困難である。また、入射光制御機構は、コア層１００１を１層備える光メモリ媒体から情報を再生する光メモリ再生装置においても、当該コア層１００１に光を正確に入射させるために用いられることがあり、よって、かかる光ヘッドの小型化もやはり同様に困難である。
【０００７】
本発明は、上記の課題に鑑みてなされたものであり、その目的とするところは、小型化が可能な光ヘッド、該光ヘッドによる光メモリ媒体への光の入射位置の調整方法、当該光ヘッドを備えた光メモリ再生装置および該光メモリ再生装置による光メモリ媒体からの情報の再生方法を提供することにある。
【課題を解決するための手段】
【０００８】
上記課題を解決するために、請求項１の本発明は、１層以上のコア層と、該コア層のそれぞれを挟むクラッド層と、各コア層と該コア層を挟むクラッド層との境界または当該コア層内に設けられ且つ当該コア層に光を入射させることにより再生される情報を記憶する回折格子層とを備える光メモリ媒体に対し光源を有する光ヘッドから光を入射し当該光メモリ媒体から出射する光を検出して前記情報を再生する光メモリ再生装置の光ヘッドにおいて、前記光源から発生した光を反射するように配置されるミラーであって、前記光をコア層に入射するための軸を中心に回動されて向きが変化するミラーを備えたことを特徴とする光ヘッドをもって解決手段とする。
【０００９】
請求項２の本発明は、前記ミラーが捻られていることを特徴とする請求項１記載の光ヘッドをもって解決手段とする。
【００１０】
請求項３の本発明は、前記軸に沿って前記ミラーを複数枚並べ個別に回動されるように構成したことを特徴とする請求項１記載の光ヘッドをもって解決手段とする。
【００１１】
請求項４の本発明は、２軸以上の前記軸のそれぞれに沿って前記ミラーを複数枚並べ個別に回動されるように構成したことを特徴とする請求項１記載の光ヘッドをもって解決手段とする。
【００１２】
請求項５の本発明は、前記各ミラーで反射する光が前記光メモリ媒体に入射するまでに集光するように構成したことを特徴とする請求項３記載の光ヘッドをもって解決手段とする。
【００１３】
請求項６の本発明は、２つの前記軸のそれぞれに沿って前記ミラーを複数枚並べ個別に回動されるように構成し、一方の軸に沿って並んだ１枚以上のミラーのそれぞれにおける軸方向の位置が他方の軸に沿って隣り合う２枚のミラーの間の位置となるように配置したことを特徴とする請求項１記載の光ヘッドをもって解決手段とする。
【００１４】
請求項７の本発明は、請求項３ないし６のいずれかに記載の光ヘッドから光メモリ媒体へ入射される光の入射位置の調整方法であって、当該光ヘッドが備えるミラーのそれぞれを軸を中心にして個別に回動させることによりミラーの向きを変化させることを特徴とする光メモリ媒体へ光の入射位置の調整方法をもって解決手段とする。
【００１５】
請求項８の本発明は、１層以上のコア層と、該コア層のそれぞれを挟むクラッド層と、各コア層と該コア層を挟むクラッド層との境界または当該コア層内に設けられ且つ当該コア層に光を入射させることにより再生される情報を記憶する回折格子層とを備える光メモリ媒体に対し光源を有する光ヘッドから光を入射し当該光メモリ媒体から出射する光を検出して前記情報を再生する光メモリ再生装置において、前記光源から発生した光を反射するように且つ当該光をコア層に入射するための軸に沿って並べられ且つ当該軸を中心に個別に回動されて向きが変化する複数枚のミラーと、前記複数枚のミラーのそれぞれを軸を中心にして個別に回動させることによりミラーの向きを変化させるミラー制御手段と、前記複数枚のミラーの中で前記ミラー制御手段により向きが変化する２枚のミラーのそれぞれからの光が前記光入射面のコア層を厚さ方向に走査するときに当該光とコア層との結合効率に応じて変化する前記光メモリ媒体からの当該光による出射光の光強度を検出する光強度検出手段と、該光強度検出手段で検出された光強度のそれぞれが最大になるように前記ミラー制御手段を制御するフィードバック制御手段と、前記光強度検出手段で検出された光強度のそれぞれが最大になったときの前記２枚のミラーの向きを示す数値のそれぞれを補間することにより残りのミラーの向きを示す数値を計算し、当該残りのミラーの向きが当該計算された数値に応じた向きとなるように前記ミラー制御手段を制御する数値制御手段を備えることを特徴とする光メモリ再生装置をもって解決手段とする。
【００１６】
請求項９の本発明は、前記２枚のミラーで反射する各光の中の２つの部分を変位させる光変位手段であって、当該各部分が前記光入射面において厚さ方向に且つ互いに逆方向に同量変位するように各光を変位させる光変位手段を備え、前記光強度検出手段は、前記変位した各部分と変位しない部分とが前記光入射面のコア層を厚さ方向に走査するときに当該変位した部分とコア層との結合効率に応じて変化する前記光メモリ媒体からの当該変位した部分による再生光の光強度を検出し、前記フィードバック制御手段は、前記変位した各部分により前記光強度検出手段で検出された光強度同士が等しくなるように前記ミラー制御手段を制御することを特徴とする請求項８記載の光メモリ再生装置をもって解決手段とする。
【００１７】
請求項１０の本発明は、１層以上のコア層と、該コア層のそれぞれを挟むクラッド層と、各コア層と該コア層を挟むクラッド層との境界または当該コア層内に設けられ且つ当該コア層に光を入射させることにより再生される情報を記憶する回折格子層とを備える光メモリ媒体に対し光源を有する光ヘッドから光を入射し当該光メモリ媒体から出射する光を検出して前記情報を再生する光メモリ再生装置が行う光メモリ媒体からの情報の再生方法において、前記光源から発生した光を反射するように且つ当該光をコア層に入射するための軸に沿って並べられ且つ当該軸を中心に個別に回動されて向きが変化する複数枚のミラーのそれぞれを軸を中心にして個別に回動させることによりミラーの向きを変化させるミラー制御手段により向きが変化する２枚のミラーのそれぞれからの光が前記光入射面のコア層を厚さ方向に走査するときに当該光とコア層との結合効率に応じて変化する前記光メモリ媒体からの当該光による出射光の光強度を光強度検出手段で検出し、該検出された光強度のそれぞれが最大になるように前記ミラー制御手段を制御し、前記検出された光強度のそれぞれが最大になったときの前記２枚のミラーの向きを示す数値のそれぞれを補間することにより残りのミラーの向きを示す数値を計算し、当該残りのミラーの向きが当該計算された数値に応じた向きとなるように前記ミラー制御手段を制御することを特徴とする光メモリ媒体からの情報の再生方法をもって解決手段とする。
【００１８】
請求項１１の本発明は、前記２枚のミラーで反射する各光の中の２つの部分を変位させる光変位手段であって、当該各部分が前記光入射面において厚さ方向に且つ互いに逆方向に同量変位するように各光を変位させる光変位手段を光メモリ再生装置が備え、光メモリ再生方法が、前記変位した各部分と変位しない部分とが前記光入射面のコア層を厚さ方向に走査するときに当該変位した部分とコア層との結合効率に応じて変化する前記光メモリ媒体からの当該変位した部分による再生光の光強度を検出し、前記変位した各部分により前記光強度検出手段で検出された光強度同士が等しくなるように前記ミラー制御手段を制御することを特徴とする請求項１０記載の光メモリ媒体からの情報の再生方法をもって解決手段とする。
【発明の効果】
【００１９】
本発明によれば、光源から発生した光を反射するように配置されるミラーであって、光をコア層に入射するための軸を中心に回動されて向きが変化するミラーを備えたので、大型の入射光制御機構が不要であり、光ヘッド内のデッドスペースが少なく、よって光メモリ再生装置の光ヘッドの小型化を図ることができる。
【００２０】
また、軸に沿ってミラーを複数枚並べ個別に回動されるように構成したことで、傾いたコア層に幅広く入射光を入射することができる。よって、情報の記憶領域を広く保つことができる。
【発明を実施するための最良の形態】
【００２１】
以下、本発明の実施の形態を図面を参照して説明する。ここでは、本発明の典型的な実施の形態を説明するが、２以上の実施の形態の技術を組み合わせたり、構成要素の配置や組み合わせを適宜変えて実施することが可能である。
【００２２】
[第１の実施の形態]
図１は、第１の実施の形態の光ヘッドを用いた光メモリ再生装置と該装置で再生される情報を記憶した光メモリ媒体１０００の構造を示すブロック構成図である。
【００２３】
光メモリ再生装置は、１層のコア層１００１と、該コア層１００１を挟むクラッド層１００２、１００２と、コア層１００１と該コア層１００１を挟む一方のクラッド層１００２との境界に設けられ且つ当該コア層１００１に光を入射させることにより再生される情報を記憶する回折格子層１００３とを備える光メモリ媒体１０００の光入射面１０００Ｎ（図１の場合は端面）に対し光源（図示せず。例えばレーザ光源など）を有する光ヘッド１１から光（入射光）を入射し当該光メモリ媒体１０００から出射する光（再生光）を光検出器１２で検出して情報を再生する装置である。
【００２４】
コア層１００１、クラッド層１００２は樹脂、ガラス、光学結晶などからなり、回折格子層１００３は同様の特性を有する樹脂、ガラス、光学結晶などからなる。コア層１００１の厚さは１μｍ程度であり、クラッド層１００２の厚さは１０μｍ程度である。
【００２５】
回折格子層１００３に記憶される情報は、ホログラムデータとも称され、当該情報は回折格子層１００３内部に例えば、凹凸形状を構成するとともにその形状分布を当該情報に応じたものにすることで記憶される。あるいは、当該情報は、回折格子層１００３内部の屈折率分布を当該情報に応じたものにすることで記憶される。
【００２６】
光メモリ媒体１０００は、例えば、光メモリ媒体１０００の装填口、装填スペース、固定部材、ローディングする部材、チャック、取り出し機構を備える容器（カートリッジなど）に装填して使用することができる。
【００２７】
光検出器１２は、例えば、ＣＣＤ（Charge Coupled Devices）、ＣＭＯＳ（Complementary Metal Oxide Semiconductor）から構成される二次元光検出器であり、この場合、光検出器１２や光メモリ媒体１０００を相対移動させる必要がないので短時間で検出が行える。また、光検出器１２は、例えば、ラインセンサなどの一次元光検出器であり、この場合、光検出器１２と光メモリ媒体１０００を相対移動させて検出を行う。なお、光検出器１２に代えて、フォトダイオードを用いることができるが、この場合、該フォトダイオードと光メモリ媒体１０００を縦横に相対移動させて光を検出することになるので、二次元光検出器または一次元光検出器を光検出器１２として用いた方が短時間で検出が行える。  また、光メモリ媒体１０００としては、任意の層間に、例えば、回折格子層１００３とコア層１００１との間にギャップ層や保護層やクラッド層を有するものを使用してもよい。また、再生光の出射面やその反対面に保護層を有する光メモリ媒体１０００を使用してもよい。また、コア層１００１と該コア層１００１を挟む両方のクラッド層１００２との境界に回折格子層１００３を有する光メモリ媒体１０００を使用してもよい。
【００２８】
また、光メモリ再生装置を光メモリ媒体１０００や容器と一体に構成してもよい。また、光メモリ再生装置が光メモリ媒体１０００や容器の一部となるように、あるいは光メモリ媒体１０００や容器が光メモリ再生装置の一部となるようにしてもよい。また、回折格子層１００３は、コア層１００１内に設けてもよい。
【００２９】
また、光メモリ媒体１０００は、容器に装填せずに、再生光の出射面の反対面にラベルを貼って使用するか、あるいはそのままで使用することもできる。
【００３０】
また、光メモリ再生装置は、光メモリ媒体１０００から光検出器１２への再生光の光路の途中に光学系（再生光学系）を備えてもよい。
【００３１】
再生光学系は、再生光を光検出器１２に結像させるものであり、例えば、１以上の開口を有する開口マスクを使用することができる。例えば、回折格子層１００３に複数の（複数画面分の）情報を多重化した場合には当該複数の情報を含む再生光が出射されるが、開口マスクはかかる再生光から一部の情報を含む光だけを光検出器１２側へ通過させ、残りの光を遮断することができるので、当該一部の情報を再生することができる。そして、開口の位置を変化させれば、他の情報を再生することができ、よって、多重化された情報を全て再生することができる。その結果、多重化して情報を記憶する光メモリ媒体１０００のポテンシャルを最大限に引き出すことができる。また、光検出器１２を開口の位置に合わせるように制御すれば、検出素子数の少ない光検出器１２で検出が行える。
【００３２】
開口マスクとしては、液晶パネルの１以上の部分における液晶の状態を電気的に変化させて当該部分を光にとっての開口とし且つその位置を電気的制御で変化させるようにしたものを使用することができ、この場合、機械的な駆動部が不要なので高寿命である。また、金属や樹脂などの板に実際に１以上の開口を形成してなるマスクを移動させて開口の位置を変化させるようにしたものを開口マスクとして使用することができる。
【００３３】
また、再生光学系としては、上記開口マスク、レンズ、プリズム、ミラー、ハーフミラー、偏光ビームスプリッタ、偏光子、液晶素子などの光学部品を適宜組み合わせて構成することができる。また、このような再生光学系を複数設けてもよい。
【００３４】
光ヘッド１１は、光学部１１１から発生した光を反射するように配置されるミラーであって、光をコア層１００１に入射するための軸１１２ａを中心に回動されて向きが変化するミラー１１２を備えている。軸１１２ａは、光入射面１０００Ｎにおけるコア層１００１に対して略平行となっていることが望ましい。
【００３５】
これ以降の説明では、光学部１１１から発生する光を帯状光と想定する。帯状光を用いれば、その大部分をコア層に入射することができ、無駄な光が少なくなるので、省電力化が図れる。また、ミラー１１２を薄型にできるので光ヘッドのさらなる小型化が可能となるという利点がある。
【００３６】
なお、光学部１１１、ミラー１１２および光メモリ媒体１０００の位置関係は、図１で示すものに限られず、光学部１１１からの光がミラー１１２で反射してコア層１００１へ入射できればよい。よって、例えば、光学部１１１をミラー１１２を中心にした対象位置に配置してもよい。
【００３７】
ミラー１１２としては、バルク型ガルバノミラーやＭＥＭＳ型ミラーなどを使用することができる。また、ミラー１１２の駆動機構としては、コイルと磁石などを用い、ローレンツ力を使用するものや、電荷の引力、斥力（クーロン力）を用いた静電式のものなどを使用することができる。ミラー１１２の構造としては、ミラーの側面をヒンジにて支えるものや、ミラーを裏面から支えるものなどを使用することができる。
【００３８】
また、上記ミラー１１２の他に、光学部１１１からの光の光路にさらにコリメータなどの光学部品を配してもよい。また、光路にレンズを配することでコア層１００１に集光することができる。
【００３９】
また、光学部１１１やミラー１１２に対して、回転モータやリニアモータで向きを変更したり回転させる機構（電磁型、静電型、圧電型、磁歪型、超音波型、形状記憶型、ミラー型のアクチュエータなど）を追加してもよい。
【００４０】
上記の如く構成した第１の実施の形態の光ヘッド１１では、光学部１１１から発生した光がミラー１１２で反射する。ここで、ミラー１１２を軸１１２ａを中心に回動させ適切な位置で停止させると、ミラー１１２で反射した光（入射光）をコア層１００１に正確に入射させることができる。
【００４１】
また、光メモリ再生装置は、図２に示すような光メモリ媒体１０００から情報を再生することもできる。
【００４２】
図２の光メモリ媒体１０００は、２層以上のコア層１００１（２層のみを図示）と、該コア層１００１のそれぞれを挟むクラッド層（４層のみを図示）と、各コア層１００１と該コア層１００１を挟む一方のクラッド層１００２との境界に設けられた回折格子層１００３（２層のみを図示）とを備えるものである。図２の光メモリ媒体１０００の回折格子層１００３に記憶される情報は、回折格子層１００３内部に例えば、凹凸形状を構成するとともにその形状分布を当該情報に応じたものにすることで記憶される。あるいは、当該情報は、回折格子層１００３内部の屈折率分布を当該情報に応じたものにすることで記憶される。なお、光メモリ媒体１０００は、コア層１００１と該コア層１００１を挟む両方のクラッド層１００２との境界に回折格子層１００３を有するものであってもよい。また、光メモリ媒体１０００の回折格子層１００３は、コア層１００１内に設けてもよい。
【００４３】
この光メモリ媒体１０００を用いた場合に、光メモリ再生装置の光ヘッド１１では、光学部１１１から発生した光がミラー１１２で反射し、ここで、ミラー１１２を軸１１２ａを中心に回動させ適切な位置で停止させると、ミラー１１２で反射した光（入射光）を選択的にいずれかのコア層１００１にしかも正確に入射させることができる。
【００４４】
以上のように、第１の実施の形態によれば、光源から発生した光を反射するように配置されるミラーであって、光をコア層に入射するための軸を中心に回動されて向きが変化するミラーを備えたので、大型の入射光制御機構が不要であり、光ヘッド内のデッドスペースが少なく、よって光メモリ再生装置の光ヘッドの小型化を図ることができる。
【００４５】
なお、図１では、光メモリ媒体１０００の端面を光入射面としたが、各コア層１００１に光結合部またはミラー面を設け、光メモリ媒体１０００の上面あるいは下面を光入射面にする場合であっても、同様のミラーを備えることで同様の効果が得られる。なお、光入射面が端面の場合は、光結合部またはミラー面が不要となるので有利である。
【００４６】
[第２の実施の形態]
ところで、光メモリ媒体１０００は、製造条件によりまたは経年変化により湾曲する可能性がある。また、例えば、光メモリ再生装置が光メモリ媒体１０００の容器を備える場合は、この容器に光メモリ媒体１０００が傾いて装填される可能性がある。
【００４７】
これらの場合、コア層１００１が傾いてしまうので、コア層１００１への入射光の入射が不十分となり、情報が再生できない可能性がある。そのため、狭い範囲にのみ情報を記憶させざるを得なくなる。
【００４８】
この対策として、光学部１１１を幅の狭い光（ビーム）を発生するものとし、この光学部１１１をコア層１００１の面方向に移動させつつ且つ厚さ方向の位置を制御する光源移動機構を設けることが考えられるが、かかる機構は大型であり、そのため光メモリ再生装置の小型化の妨げとなる。
【００４９】
そこで、このような機構を設けずに上記不都合の防止を図った第２の実施の形態を説明する。
【００５０】
図３は、第２の実施の形態の光ヘッド１１が備えるミラーを示す図である。
【００５１】
これ以降の各実施の形態では、説明済みの実施の形態における符号を各実施の形態の説明および図面に流用して、その符号を付したもの自体の説明および共通事項の説明を省略する。
【００５２】
第２の実施の形態の光ヘッド１１は、第１の実施の形態の光ヘッド１１において、軸１１２ａに沿ってミラー１１２を複数枚並べ個別に回動されるように構成したものである。
【００５３】
図４は、第２の実施の形態の入射光の光入射面１０００Ｎ（端面）における入射位置を示す図である。ここでは、コア層１００１が傾いていることとし、光入射面１０００Ｎは部分的に示し、回折格子層１００３を図示省略している。また、ミラー１１２間の隙間がないものとしている。
【００５４】
複数枚のミラー１１２を用いたことで、光学部１１１からの光が複数の光（入射光）に分割されて、あるいは複数のビーム光源を備えた光学部１１１からの複数の光が各ミラー１１２で反射して、光入射面１０００Ｎに入射する。また、複数枚のミラー１１２の向きを個別に調整することで、各入射光をコア層１００１に入射することができる。よって、幅広い入射光をコア層１００１に入射することができ、その結果、情報の記憶領域を広く保つことができる。
【００５５】
また、上記したような光源移動機構を設ける必要がないので、よって光メモリ再生装置の小型化を図ることができる。
【００５６】
以上のように、第２の実施の形態によれば、軸に沿ってミラーを複数枚並べ個別に回動されるように構成したことで、傾いたコア層に幅広い入射光を入射することができる。よって、情報が再生できない不都合を防止することができる。
【００５７】
なお、ミラー１１２が１枚の場合であっても、このミラー１１２を捻ることで、入射光が傾くので、傾いたコア層１００１に十分な光を入射することができ、
なお、コア層１００１に複数の入射光を入射することにより、これらの入射光が干渉する畏れがある場合には、例えば、回折格子層１００３に記憶される情報と光検出器１２での検出方法を、かかる干渉を考慮したものとすることで、かかる情報を再生することができる。
【００５８】
[第３の実施の形態]
ところで、第２の実施の形態に、図２の光メモリ媒体１０００を用いた場合、同時には、その中の１つのコア層１００１にしか光を入射できない。つまり、複数のコア層１００１に光を入射しようとすると、それぞれのコア層１００１への入射タイミングを異ならせ且つその都度ミラー１１２の向きを調整しなければならない。そのため、情報の再生に長時間を要する可能性がある。
【００５９】
そこで、このような不都合の防止を図った第３の実施の形態を説明する。
【００６０】
図５は、第３の実施の形態の光ヘッド１１が備えるミラーを示す図である。
【００６１】
第３の実施の形態の光ヘッド１１は、第１の実施の形態の光ヘッド１１において、２以上の軸１１２ａ（図３では３軸）のそれぞれに沿ってミラー１１２を複数枚並べ個別に回動されるように構成したものである。
【００６２】
第３の実施の形態では、ミラー１１２を２以上の軸１１２ａに沿って並べたので、図２のような光メモリ媒体１０００を用いた場合、予め、次に光を入射するコア層１００１に対応する軸１１２ａに沿った各ミラーの向きを調整しておくことができるので、入射の都度ミラーの向きを調整することが不要となり、よって情報の再生が短時間で行える。
【００６３】
また、各軸に沿ってミラー１１２が複数枚並んでいるので、各ミラー１１２を個別に回動させることで、各コア層１００１に十分な光を入射することができ、その結果、２以上のコア層１００１を有する光メモリ媒体１０００から光の不足によって情報を再生できないという不都合を防止することができる。
【００６４】
[第４の実施の形態]
ところで、個別に回動される複数のミラー１１２を並べる場合、ミラー１１２同士の干渉を避けるため、隣り合うミラー１１２間に隙間が設けられる。これにより、実際には、図４のように、入射光を隙間無くコア層１００１に入射することが難しい。そのため、回折格子層１００３の中の当該隙間に対応する部分が情報の記憶に使用できなくなる。
【００６５】
そこで、このような不都合の防止を図った第４の実施の形態を説明する。
【００６６】
図６は、第４の実施の形態の光ヘッド１１の光学部１１１およびミラー１１２と該ミラー１１２で反射する光と光メモリ媒体１０００を投影した図である。
【００６７】
第４の実施の形態の光ヘッド１１は、第２の実施の形態の光ヘッド１１において、光ヘッド１１の各ミラー１１２で反射する光が光メモリ媒体１０００に入射するまでに集光するように構成したものである。
【００６８】
図６は、光ヘッド１１の光学部１１１内に集光レンズなどの光学系を設けた例を示している。また、第４の実施の形態の光ヘッド１１では、各ミラー１１２で反射する光が光メモリ媒体１０００に入射するまでの光路上にかかる光学系を設けてもよい。例えば、光がミラー１１２で反射する前でもその後でもよい。また、光ヘッド１１は、集光点が光ごとに異なるように構成してもよい。
【００６９】
上記構成とした第４の実施の形態の光ヘッド１１では、光学部１１１から発生し各ミラー１１２で反射する光が光メモリ媒体１０００に入射するまでに集光し、その後広がっていくので、入射光を隙間無くコア層１００１に入射させることができる。そのため、回折格子層１００３の大部分が情報の記憶に使用できるようになる。
【００７０】
ここで、集光点をミラー１１２の近くの点（反射前後のどちらでもよい）にして、光学部１１１からの光の全てを各ミラー１１２で反射させることで、無駄な光が少なくなるので省電力化が図れる。また、集光点を可能な限り各ミラーに近い点または各ミラー上の点とすることでミラーの小型化が図れる。
【００７１】
なお、図６に示す第４の実施の形態に限らず他の実施の形態においても，集光レンズなどの光学系の位置としては、必ずしも光学部内に限らず、光が光源を出てから光メモリ媒体に入るまでの光路上のどこに設置されても構わず、いずれも同様の効果を奏する。
【００７２】
[第５の実施の形態]
ところで、図６のような集光ビームは、例えば入射光が（コア層の厚さ方向に加え）コア層に沿った方向にも集光するように集光レンズを設計することで実現でき、この場合は光学系が特に大型になることはないが、他の手段によって図６のような集光ビームを実現すると、場合によっては光ヘッドが大型になってしまう可能性もある。
【００７３】
そこで、このような不都合の防止を図った第５の実施の形態を説明する。
【００７４】
図７は、第５の実施の形態の光ヘッド１１が備えるミラーを示す図である。図８は、第５の実施の形態での動作を説明するための模式図である。図９は、第５の実施の形態の入射光の光入射面１０００Ｎにおける入射位置を示す図である。なお、図９は、コア層１００１が傾いているときのものである。
【００７５】
図７に示すように、第５の実施の形態では、２つの軸１１２ａのそれぞれに沿ってミラー１１２を複数枚並べ個別に回動されるように構成し、一方の軸１１２ａに沿って並んだ１枚以上のミラーのそれぞれにおける軸（１１２ａ）方向の位置が他方の軸１１２ａに沿って隣り合う２枚のミラーの間の位置となるように配置されている。図７における下の軸１１２ａに沿って並んだ複数枚のミラー１１２をＡ群、上の軸１１２ａに沿って並んだ複数枚のミラー１１２をＢ群とした場合、Ｂ群の左端のミラーを除くミラーのそれぞれにおける軸（１１２ａ）方向の位置が、Ａ群の中で軸１１２ａに沿って隣り合う２枚のミラーの間の位置となるように配置されている。
【００７６】
上記構成とした第５の実施の形態では、図８に示すように、Ａ群に含まれる各ミラー１１２で反射する光が目的のコア層１００１に入射するように、これらミラー１１２を軸１１２ａを中心に回動させ停止させる。また、Ｂ群に含まれる各ミラー１１２で反射する光が同一のコア層１００１に入射するように、これらミラー１１２を軸１１２ａを中心に回動させ停止させる。
【００７７】
これにより、図９に示すように、Ｂ群の左端の１枚を除くミラーのそれぞれで反射した光（入射光）の入射位置が、Ａ群の中で隣り合う２枚のミラーのそれぞれで反射した光（入射光）の入射位置の間の位置となるので、入射光を隙間無くコア層１００１に入射させることができる。そのため、回折格子層１００３の大部分が情報の記憶に使用できるようになる。
【００７８】
なお、図１０に示すように、光ヘッド１１は、Ａ群とＢ群とでなる組を複数組備えてもよい。これにより、図２の光メモリ媒体１０００を用いた場合、その２層以上のコア層１００１に対し、入射光を隙間無く入射することができる。また、入射の都度ミラーの向きを調整することが不要となり情報の再生が短時間で行える。
【００７９】
[第６の実施の形態]
ところで、第２の実施の形態で用いられた各ミラー１１２の向きを、例えば順次に調整する場合、ミラー１１２の枚数が多くなるとトータルでの調整時間が長くなる。また、例えば、全てのミラー１１２の向きを同じタイミングで、例えばフィードバック調整する場合には、各ミラー１１２に調整機構が必要になる。
【００８０】
この対策として、例えば、全てのミラー１１２の背面の全てに渡って板バネを設け該板バネを捻ることによっても、傾いたコア層１００１に光を入射することができる。
【００８１】
しかしながら、各ミラー１１２の向きを個別に制御するのではないので、各入射光を正確にコア層１００１に入射するのが困難な場合がある。
【００８２】
そこで、かかる不都合の防止を図った第６の実施の形態を説明する。
【００８３】
図１１は、第６の実施の形態の光メモリ再生装置のブロック構成図である。ここでは、光検出器１２は図示省略し、光ヘッド１１ではミラー１１２のみを図示している。
【００８４】
なお、光メモリ再生装置は、光ヘッド１１を含む部分と光検出器１２を含む部分が分離した２体以上の構成としてもよい。
【００８５】
第６の実施の形態の光メモリ再生装置は、複数枚のミラー１１２のそれぞれを軸１１２ａを中心にして回動させることによりミラーの向きを変化させるミラー制御部１３（ミラー制御手段）と、複数枚のミラー１１２の中でミラー制御部１３により向きが変化する２枚のミラーのそれぞれからの光が光入射面１００Ｎのコア層１００１を厚さ方向に走査するように入射するときに当該光とコア層との結合効率に応じて変化する光メモリ媒体１０００からの当該光による再生光の光強度を検出する光強度検出部１４Ｌ、１４Ｒ（光強度検出手段）と、光強度検出部１４Ｌ、１４Ｒで検出された光強度のそれぞれが最大になるようにミラー制御部１３を制御するフィードバック制御部１５（フィードバック制御手段）と、光強度検出部１４で検出された光強度のそれぞれが最大になったときの前記２枚のミラーの向きを示す数値のそれぞれを補間することにより残りのミラーの向きを示す数値を計算し、当該残りのミラーの向きが当該計算された数値に応じた向きとなるようにミラー制御部１３を制御する数値制御部１６（数値制御手段）を備える。
【００８６】
上記構成とした第６の実施の形態の光メモリ再生装置では、フィードバック制御部１５の制御により、ミラー制御部１３が、左右の両端に位置する２枚のミラーのそれぞれからの光が光入射面１００Ｎのコア層１００１を厚さ方向に走査するように当該２枚を軸１１２ａを中心に回動させてミラー１１２の向きを変化させる。
【００８７】
これにより、各入射光の入射によって生じる光メモリ媒体１０００から再生光が入射光とコア層との結合効率に応じて変化する。このように変化する再生光の光強度を光強度検出部１４Ｌ、１４Ｒが検出し、検出した光強度をフィードバック制御部１５に通知する。フィードバック制御部１５は、通知された光強度のそれぞれが最大になるようにミラー制御部１３を制御する。
【００８８】
次に、光強度のそれぞれが最大になったときの当該２枚のミラー１１２の向きを示す数値を例えば、ミラー制御部１３から取得し、これを補間することにより残りのミラーの向きを示す数値を計算し、当該残りのミラーの向きが当該計算された数値に応じた向きとなるようにミラー制御部１３を制御する。
【００８９】
例えば、数値制御部１６が行う補間は、コア層１００１が湾曲しないで単に傾いているときは、例えば、線形補間でよい。一方，コア層が湾曲しているときは，湾曲が小さな場合は線形補完でよく、また線形補間で補間できないほど湾曲が大きい場合には湾曲形態を近似する関数を用いて非線形補間するのが好ましい。
【００９０】
以上のように、第６の実施の形態の光メモリ再生装置によれば、光源から発生した光を反射するように且つ光をコア層に入射するための軸に沿って並べられ且つ当該軸を中心に個別に回動されて向きが変化する複数枚のミラーのそれぞれを軸を中心にして個別に回動させることによりミラーの向きを変化させるミラー制御手段により向きが変化する２枚のミラーのそれぞれからの光が光入射面のコア層を厚さ方向に走査するときに当該光とコア層との結合効率に応じて変化する光メモリ媒体からの当該光による出射光の光強度を検出し、該検出された光強度のそれぞれが最大になるようにミラー制御手段を制御し、検出された光強度のそれぞれが最大になったときの前記２枚のミラーの向きを示す数値のそれぞれを補間することにより残りのミラーの向きを示す数値を計算し、当該残りのミラーの向きが当該計算された数値に応じた向きとなるようにミラー制御手段を制御するので、各入射光をコア層に正確に入射することができる。
【００９１】
[第７の実施の形態]
次に、第６の実施の形態を応用した第７の実施の形態を説明する。
【００９２】
図１２は、第７の実施の形態の光メモリ再生装置のブロック構成図である。
【００９３】
第７の実施の形態の光メモリ再生装置は、両端の２枚のミラー１１２で反射する各光の中の２つの部分を変位させる光変位機構（光変位手段）であって、各部分が光入射面１０００Ｎにおいて互いに逆方向且つ同量変位するように各光を変位させる光変位機構１５Ｌ１、１５Ｌ２、１５Ｒ１、１５Ｒ２を備える。
【００９４】
図１３は、左端のミラー１１２で反射した光が光変位機構１５Ｌ１、１５Ｌ２により変位してから光入射面１０００Ｎに入射したときの入射位置を示す図である。
【００９５】
図１３に示すように、光変位機構１５Ｌ１は、左端のミラー１１２で反射する光の左端の部分を所定の角度だけ屈折させることにより当該部分が光入射面１０００Ｎにおいて厚さ方向（例えば、再生光の出射方向）に変位している状態（変位光）とするようになっている。
【００９６】
光変位機構１５Ｌ２は、左端のミラー１１２で反射する光の右端の部分を逆方向に同じ角度だけ屈折させることにより当該部分が光入射面１０００Ｎにおいて厚さ方向の逆方向（例えば、再生光の出射方向の逆方向）に同量変位している状態（変位光）とするようになっている。
【００９７】
また、図示しないが、光変位機構１５Ｒ１は、右端のミラー１１２で反射する光の左端の部分を所定の角度だけ屈折させることにより当該部分が光入射面１０００Ｎにおいて厚さ方向（例えば、再生光の出射方向）に変位している状態（変位光）とするようになっている。
【００９８】
また、図示しないが、光変位機構１５Ｒ２は、右端のミラー１１２で反射する光の右端の部分を逆方向に同じ角度だけ屈折させることにより当該部分が光入射面１０００Ｎにおいて厚さ方向の逆方向（例えば、再生光の出射方向の逆方向）に同量変位している状態（変位光）とするようになっている。
【００９９】
図１３のような段差型の入射光を形成する方法としては，図１２のように光変位機構を
別途部品として設ける方法以外に、集光レンズを段差型に設計作製することでも実現できる。
【０１００】
具体的には、例えば、一番左のミラーに対し、情報再生に用いる入射光（主ビーム）の両側に、例えば左端は主ビームより上方に集光し、また右端は主ビームより下方に集光するよう集光レンズを設計作製することで図１３のような入射光が実現する。
【０１０１】
なお，上下左右は入れ替わってもよく、また主ビームの上下に出るビーム（２つのサイドビーム）は必ずしも主ビームの左端、右端に位置しなくてもよく、例えば左端側に２つ位置したり、あるいは右端側に２つ位置したり、中央付近に位置したりしても構わない。
【０１０２】
また例えば一番左のミラーに対し、サイドビームの数は最低２個必要である。
【０１０３】
また、図１２に示すように、第７の実施の形態では、光メモリ再生装置の光強度検出部１４Ｌは、光変位機構１５Ｌ１により変位した光が光入射面のコア層を厚さ方向に走査するときに当該光とコア層との結合効率に応じて変化する光メモリ媒体からの当該光による再生光の光強度を検出する第１光強度検出部１４Ｌ１と、光変位機構１５Ｌ２により変位した光が光入射面のコア層を厚さ方向に走査するときに当該光とコア層との結合効率に応じて変化する光メモリ媒体からの当該光による再生光の光強度を検出する第２光強度検出部１４Ｌ２とを備える。
【０１０４】
また、第７の実施の形態では、光メモリ再生装置の光強度検出部１４Ｒは、光変位機構１５Ｒ１により変位した光が光入射面のコア層を厚さ方向に走査するときに当該光とコア層との結合効率に応じて変化する光メモリ媒体からの当該光による再生光の光強度を検出する第１光強度検出部１４Ｒ１と、光変位機構１５Ｒ２により変位した光が光入射面のコア層を厚さ方向に走査するときに当該光とコア層との結合効率に応じて変化する光メモリ媒体からの当該光による再生光の光強度を検出する第２光強度検出部１４Ｒ２とを備える。
【０１０５】
また、第７の実施の形態では、フィードバック制御部１５は、同一の光から変位した各光により光強度検出部１４Ｌ、１４Ｒで検出された光強度同士が等しくなるようにミラー制御部１３を制御するようになっている。
【０１０６】
上記構成とした第７の実施の形態では、光変位機構１５Ｌ１は、左端のミラー１１２で反射する光の左端の部分を所定の角度だけ屈折させることにより当該部分が光入射面１０００Ｎにおいて厚さ方向（例えば、再生光の出射方向）に変位している状態（変位光）とする。
【０１０７】
光変位機構１５Ｌ２は、左端のミラー１１２で反射する光の右端の部分を逆方向に同じ角度だけ屈折させることにより当該部分が光入射面１０００Ｎにおいて厚さ方向の逆方向（例えば、再生光の出射方向の逆方向）に同量変位している状態（変位光）とする。
【０１０８】
光変位機構１５Ｒ１は、右端のミラー１１２で反射する光の左端の部分を所定の角度だけ屈折させることにより当該部分が光入射面１０００Ｎにおいて厚さ方向（例えば、再生光の出射方向）に変位している状態（変位光）とする。
【０１０９】
光変位機構１５Ｒ２は、右端のミラー１１２で反射する光の右端の部分を逆方向に同じ角度だけ屈折させることにより当該部分が光入射面１０００Ｎにおいて厚さ方向の逆方向（例えば、再生光の出射方向の逆方向）に同量変位している状態（変位光）とする。
【０１１０】
次に、フィードバック制御部１５の制御により、ミラー制御部１３が、例えば、左端のミラー１１２からの光が光入射面１００Ｎのコア層１００１を厚さ方向に走査するように当該ミラー１１２を軸１１２ａを中心に回動させてミラー１１２の向きを変化させる。
【０１１１】
すると、変位光による光メモリ媒体１０００から再生光が、変位光とコア層との結合効率に応じて変化する。このように変化する再生光の光強度を第１光強度検出部１４Ｌ１、第２光強度検出部１４Ｌ２が検出し、検出した光強度をフィードバック制御部１５に通知する。フィードバック制御部１５は、通知された光強度同士が等しくなるようにミラー制御部１３を制御する。通知された光強度同士が等しくなるときには、変位光を除いた残りの部分がずれないでコア層１００１に入射するので、左端のミラー１１２で反射する光により光メモリ媒体１０００から出射する再生光の光強度が最大となる。
【０１１２】
また、第７の実施の形態では、同様の構成および作用により、右端のミラー１１２で反射する光により光メモリ媒体１０００から出射する再生光の光強度が最大となるように制御する。
【０１１３】
なお、第７の実施の形態では、両端のミラー１１２を除くミラー１１２の制御（線形補間や湾曲形態を近似する関数を用いた非線形補間など）については、第６の実施の形態と同様である。
【０１１４】
また、第７の実施の形態では、両端のミラー１１２で反射する光を位置決め用だけに用い、残りのミラー１１２で反射する光だけを情報の再生に利用してもよい。
【０１１５】
以上のように、第７の実施の形態の光メモリ再生装置によれば、変位した各部分と変位しない部分とが光入射面のコア層を厚さ方向に走査するときに当該変位した部分とコア層との結合効率に応じて変化する光メモリ媒体からの当該変位した部分による再生光の光強度を検出し、変位した各部分により光強度検出手段で検出された光強度同士が等しくなるようにミラー制御手段を制御するので、各入射光をコア層に正確に入射することができる。
【図面の簡単な説明】
【０１１６】
【図１】第１の実施の形態の光ヘッドを用いた光メモリ再生装置と該装置で再生される情報を記憶した光メモリ媒体１０００の構造を示すブロック構成図である。
【図２】第１の実施の形態の光ヘッドにより情報が再生される他の光メモリ媒体の構造を示す図である。
【図３】第２の実施の形態の光ヘッド１１が備えるミラーを示す図である。
【図４】第２の実施の形態の入射光の光入射面１０００Ｎ（端面）における入射位置を示す図である。
【図５】第３の実施の形態の光ヘッド１１が備えるミラーを示す図である。
【図６】第４の実施の形態の光ヘッド１１の光学部１１１およびミラー１１２と該ミラー１１２で反射する光と光メモリ媒体１０００を投影した図である。
【図７】第５の実施の形態の光ヘッド１１が備えるミラーを示す図である。
【図８】第５の実施の形態での動作を説明するための模式図である。
【図９】第５の実施の形態の入射光の光入射面１０００Ｎにおける入射位置を示す図である。
【図１０】第５の実施の形態の光ヘッド１１が備える他の構成に係るミラーを示す図である。
【図１１】第６の実施の形態の光メモリ再生装置のブロック構成図である。
【図１２】第７の実施の形態の光メモリ再生装置のブロック構成図である。
【図１３】第７の実施の形態の左端のミラー１１２で反射した光が光変位機構１５Ｌ１、１５Ｌ２により変位してから光入射面１０００Ｎに入射したときの入射位置を示す図である。
【図１４】従来の光メモリ再生装置と該装置で再生される情報を記憶した光メモリ媒体の構造を示す図である。
【符号の説明】
【０１１７】
１１…光ヘッド
１２…光検出器
１３…ミラー制御部
１４…光強度検出部
１４Ｌ、１４Ｒ…光強度検出部
１４Ｌ１、１４Ｒ１…第１光強度検出部
１４Ｌ２、１４Ｒ２…第２光強度検出部
１５…フィードバック制御部
１５Ｌ１、１５Ｌ２、１５Ｒ１、１５Ｒ２…光変位機構
１６…数値制御部
１００Ｎ…光入射面
１１１…光学部
１１２…ミラー
１１２ａ…軸
１０００…光メモリ媒体
１０００Ｎ…光入射面
１００１…コア層
１００２…クラッド層
１００３…回折格子層
【図１】
2006053990.tif 000003
【図２】
2006053990.tif 000004
【図３】
2006053990.tif 000005
【図４】
2006053990.tif 000006
【図５】
2006053990.tif 000007
【図６】
2006053990.tif 000008
【図７】
2006053990.tif 000009
【図８】
2006053990.tif 000010
【図９】
2006053990.tif 000011
【図１０】
2006053990.tif 000012
【図１１】
2006053990.tif 000013
【図１２】
2006053990.tif 000014
【図１３】
2006053990.tif 000015
【図１４】
2006053990.tif 000016